(57)【要約】【課題】筐体の側壁の内側へのスピーカーの取り付けがしやすい加熱調理器のスピーカー固定構造を提案する。【解決手段】本発明に係る加熱調理器のスピーカー固定構造は、底壁３２と底壁３２から上方に突出した側壁３４とを有する加熱調理器の筐体３と、側壁３４の内側に固定される取付板４と、取付板４に取り付けられるホルダー５と、ホルダー５に保持されたスピーカー６と、筐体３の内側に上から取り付けられる上部材７を備える。取付板４は、ホルダー５を上下方向に抜き差し自在に保持する保持部４０を有する。保持部４０に保持されたホルダー５が、筐体３の内側に取り付けられた上部材７によって上から押さえられるように構成している。【選択図】図４
2018107611.tif 000002
【特許請求の範囲】
【請求項１】
底壁と前記底壁から上方に突出した側壁とを有する加熱調理器の筐体と、
前記側壁の内側に固定される取付板と、
前記取付板に取り付けられるホルダーと、
前記ホルダーに保持されたスピーカーと、
前記筐体の内側に上から取り付けられる上部材と、を備え、
前記取付板は、前記ホルダーを上下方向に抜き差し自在に保持する保持部を有し、
前記保持部に保持された前記ホルダーが、前記筐体の内側に取り付けられた前記上部材によって上から押さえられるように構成したことを特徴とする加熱調理器のスピーカー固定構造。
【請求項２】
前記上部材は、バーナー台であることを特徴とする請求項１に記載の加熱調理器のスピーカー固定構造。
【請求項３】
底壁と前記底壁から上方に突出した側壁とを有する加熱調理器の筐体と、
前記側壁の内側に固定される取付板と、
前記取付板に取り付けられるホルダーと、
前記ホルダーに保持されたスピーカーと、
前記側壁から前記筐体の内側に突出した押さえ部と、を備え、
前記取付板は、前記ホルダーを上下方向に抜き差し自在に保持する保持部を有し、
前記取付板が前記側壁の内側に固定された状態において、前記保持部に保持された前記ホルダーが、前記押さえ部によって上から押さえられるように構成したことを特徴とする加熱調理器のスピーカー固定構造。
【請求項４】
前記ホルダーは、その上端部に位置する弾性部をさらに有することを特徴とする請求項１乃至３のいずれか一項に記載の加熱調理器のスピーカー固定構造。
【請求項５】
前記弾性部は、弾性を有するアーチ部で構成されることを特徴とする請求項４に記載の加熱調理器のスピーカー固定構造。
【発明の詳細な説明】
【技術分野】
【０００１】
本発明は、加熱調理器のスピーカー固定構造に関する。
【背景技術】
【０００２】
特許文献１には、コンロのケーシング内にスピーカーを取り付ける取付構造が記載されている。
【０００３】
この取付構造では、スピーカーの下部が支持体によって支持され、スピーカーの上部が固定用ネジで、ケーシングの前面パネルの裏側に固定されている。
【先行技術文献】
【特許文献】
【０００４】
【特許文献１】特開２００７−１９４８４６号公報
【発明の概要】
【発明が解決しようとする課題】
【０００５】
特許文献１に記載のコンロ等の一般的な加熱調理器では、筐体の内部に各種の電気機器が収容されるため、筐体の側壁の内側にスペースが形成されにくい。そのため、一般的な加熱調理器では、筐体の側壁の内側にスピーカーをねじで固定する施工が行いにくい。
【０００６】
上記事情に鑑みて、本発明は、筐体の側壁の内側へのスピーカーの取り付けがしやすい加熱調理器のスピーカー固定構造を提案することを、目的とする。
【課題を解決するための手段】
【０００７】
本発明に係る一態様の加熱調理器のスピーカー固定構造は、底壁と前記底壁から上方に突出した側壁とを有する加熱調理器の筐体と、前記側壁の内側に固定される取付板と、前記取付板に取り付けられるホルダーと、前記ホルダーに保持されたスピーカーと、前記筐体の内側に上から取り付けられる上部材と、を備える。
【０００８】
前記取付板は、前記ホルダーを上下方向に抜き差し自在に保持する保持部を有する。前記保持部に保持された前記ホルダーが、前記筐体の内側に取り付けられた前記上部材によって上から押さえられるように構成している。
【０００９】
また、本発明に係る他の一態様の加熱調理器のスピーカー固定構造は、底壁と前記底壁から上方に突出した側壁とを有する加熱調理器の筐体と、前記側壁の内側に固定される取付板と、前記取付板に取り付けられるホルダーと、前記ホルダーに保持されたスピーカーと、前記側壁から前記筐体の内側に突出した押さえ部と、を備える。
【００１０】
前記取付板は、前記ホルダーを上下方向に抜き差し自在に保持する保持部を有する。前記取付板が前記側壁の内側に固定された状態において、前記保持部に保持された前記ホルダーが、前記押さえ部によって上から押さえられるように構成している。
【発明の効果】
【００１１】
本発明では、筐体の側壁の内側へのスピーカーの取り付けがしやすい加熱調理器のスピーカー固定構造を提案することができるという効果が得られる。
【図面の簡単な説明】
【００１２】
【図１】図１は、本発明に係る実施形態１のスピーカー固定構造を備えた加熱調理器を示す斜視図である。
【図２】図２は、同上の加熱調理器を備えた調理台を示す斜視図である。
【図３】図３は、同上の調理台を示す側断面図である。
【図４】図４は、同上のスピーカー固定構造を示す斜視図である。
【図５】図５は、同上のスピーカー固定構造の、固定前の状態を示す分解斜視図である。
【図６】図６Ａは、同上のスピーカー固定構造のスピーカーとホルダーを示す正面図であり、図６Ｂは、同上のスピーカーとホルダーを示す背面図である。
【図７】図７は、本発明に係る実施形態２のスピーカー固定構造を示す斜視図である。
【図８】図８は、同上のスピーカー固定構造の、固定前の状態を示す斜視図である。
【発明を実施するための形態】
【００１３】
（実施形態１）
図１〜３には、本発明に係る実施形態１のスピーカー固定構造を備えた加熱調理器１が示されている。加熱調理器１は、ビルドイン式のガス加熱調理器であり、キッチンキャビネット２に組み込まれて、調理台１００を形成する。
【００１４】
加熱調理器１は、一方向に距離をおいて並ぶ複数のバーナー１０を備える。以下では、複数のバーナー１０が並ぶ方向を左右方向とし、この左右方向に対して平面視において直交する方向を前後方向として、各構成について説明する。各図において、矢印Ｘで示す方向が前方であり、矢印Ｙで示す方向が右方であり、矢印Ｚで示す方向が上方である。
【００１５】
キッチンキャビネット２は、上方に開口した箱状のキャビネット本体２０と、キャビネット本体２０の上開口を塞ぐカウンター２１を備える。カウンター２１には、その中央部に開口が設けられており、この開口を塞ぐように加熱調理器１が組み込まれている。
【００１６】
加熱調理器１は、加熱調理器１を操作するための操作器１１と、加熱調理器１の電源スイッチ１２をさらに備える。操作器１１は、キャビネット本体２０の上端部の前端部分に、前方に引き出し自在に取り付けられる。電源スイッチ１２は、キャビネット本体２０の上端部の前端部分に、操作器１１に対して左右方向に並ぶように取り付けられる。
【００１７】
加熱調理器１は、その外郭をなす筐体３をさらに備える。筐体３は、上方に開口した平面視矩形の箱型のケース３０と、ケース３０上に取り付けられて、ケース３０の上開口を塞ぐトッププレート３１を備える。トッププレート３１には、左右方向に距離をおいて並ぶ複数の開口が設けられており、各開口からバーナー１０のバーナーヘッド１３が上方に突出している。加熱調理器１は、トッププレート３１とカウンター２１の上面同士が略面一となるように、キッチンキャビネット２に組み込まれる。加熱調理器１は、各バーナーヘッド１３を囲むように配される五徳１４をさらに備える。
【００１８】
加熱調理器１は、筐体３の内側に設置される制御器をさらに備える。制御器は、各バーナー１０に設けられた点火プラグや温度センサ等の電気機器に電気的に接続され、これらの電気機器を制御する。
【００１９】
ケース３０は、底壁３２と、底壁３２から上方に突出した複数の側壁３３を有する。複数の側壁３３は、ケース３０の前面を構成する前側の側壁３４と、ケース３０の後面を構成する後側の側壁３５と、ケース３０の左右の面を構成する左右の側壁３６を含む。
【００２０】
続いて、本実施形態のスピーカーの固定構造について詳しく説明する。
【００２１】
図４に示すように、スピーカー固定構造は、筐体３と、筐体３の前側の側壁３４の内側（後側）に固定される取付板４と、取付板４に取り付けられるホルダー５と、ホルダー５に保持されたスピーカー６と、筐体３の内側に上から取り付けられる上部材７を備える。
【００２２】
取付板４は、ホルダー５を上下方向に抜き差し自在に保持する保持部４０を有する。本実施形態のスピーカー固定構造では、保持部４０で保持されたホルダー５が、筐体３の内側に取り付けられた上部材７によって上から押さえられるように構成している。上部材７は、本実施形態では、バーナー１０を支持するバーナー台７０である。
【００２３】
前側の側壁３４は、図１に示すように、左右方向に長い板状の部材である。図４及び図５に示すように、側壁３４は、側壁３４を前後方向に貫通する複数の貫通孔３７と、側壁３４から筐体３の内側（つまり後方）に突出した複数の載置片３８を有する。
【００２４】
複数の載置片３８のそれぞれは、略矩形板状である。複数の載置片３８は、左から右へ並ぶ、第一載置片３８０、第二載置片３８１、及び第三載置片３８２をこの順に含む。載置片３８０，３８１，３８２は、左右方向に互いに距離をおいて並んでいる。
【００２５】
載置片３８０，３８１，３８２のそれぞれは、上下方向に貫通するねじ孔３８３を有する。第二載置片３８１は、取付板４との固定に用いられる固定孔３８５をさらに有する。載置片３８０，３８１，３８２のそれぞれは、バーナー台７０の前端部の支持及び固定に用いられる。第二載置片３８１は、取付板４の固定にも用いられる。
【００２６】
取付板４は、電気部品４１が取り付けられる板体であり、金属製である。電気部品４１は、本実施形態では、複数のコネクタ４２である。各コネクタ４２は、筐体３の外側に設置される電気機器（操作器１１、電源スイッチ１２等）と、筐体３の内側に設置される電気機器（制御器等）を電気的に接続する。各コネクタ４２は、取付板４を前後方向に貫通するように取り付けられている。
【００２７】
取付板４は、略矩形板状の本体部４３と、前方に開口した略矩形の箱部４４を有する。本体部４３には、コネクタ４２が取り付けられる複数の接続口４５が設けられている。
【００２８】
取付板４は、本体部４３の上端から後方に突出した固定片１５をさらに有する。取付板４は、固定片１５が第二載置片３８１に対してねじ等の固定具１６で固定されることによって、側壁３４に固定される。
【００２９】
箱部４４は、略矩形板状の本体部４４０と、本体部４４０の上端から前方に突出した上板部４４１と、本体部４４０の下端から前方に突出した下板部４４２と、本体部４４０の左端から前方に突出した左の側板部４４３と、本体部４４０の右端から前方に突出した右の側板部４４４を有する。上板部４４１、下板部４４２、及び左右の側板部４４３，４４４のそれぞれは、矩形板状であり、本体部４４０に対して略直角である。本体部４４０、上板部４４１、下板部４４２、及び左右の側板部４４３，４４４は、略矩形の箱型をなしている。右の側板部４４４の前端が、本体部４３の左端と一体であり、右の側板部４４４は、本体部４３に対して略直角である。
【００３０】
本体部４４０には、スピーカー６の音が通過する多数の開口４４５と、ホルダー５を左右方向から挟み込んで支持する左右一対の支持片４４６が設けられている。左右一対の支持片４４６のそれぞれは、本実施形態では、平面視略Ｌ字状である。左右一対の支持片４４６は、互いに左右対称な形状である。一対の支持片４４６のそれぞれは、本体部４４０から後方に突出した第一片部４４７と、第一片部４４７の先端（後端）から左右方向に突出した第二片部４４８を有する。左側の支持片４４６では、第二片部４４８は、第一片部４４７の先端から右方に突出し、右側の支持片４４６では、第二片部４４８は、第一片部４４７の先端から左方に突出している。左右一対の支持片４４６は、例えば、本体部４４０の一部を切り起こして形成される。
【００３１】
左右一対の支持片４４６が、本実施形態では、ホルダー５を上下方向に抜き差し自在に保持する保持部４０を構成している。ホルダー５は、左右一対の支持片４４６によって挟まれて支持されることで、左右方向の動きが規制される。
【００３２】
続いて、スピーカー６を保持するホルダー５についてさらに詳しく説明する。
【００３３】
図６Ａ及び図６Ｂに示すように、ホルダー５は、板状のホルダー本体部５０と、ホルダー本体部５０の後面から後方に突出した略円環状のスピーカー保持部５１と、スピーカー保持部５１に取り付けられるカバー５２と、ホルダー本体部５０の上端から前方に突出した上片部５３を有する。ホルダー５は、合成樹脂製である。
【００３４】
ホルダー本体部５０は、その左右の端部に差込部５４を有する。左右一対の差込部５４は、左右一対の支持片４４６に対して、上方から抜き差し自在である。ホルダー本体部５０には、スピーカー６の音が通過する多数の開口５５が設けられている。多数の開口５５のそれぞれは、ホルダー本体部５０を前後方向に貫通している。
【００３５】
スピーカー保持部５１内に、スピーカー６が収容される。スピーカー保持部５１内にスピーカー６が収容された状態で、スピーカー保持部５１には、カバー５２が取り付けられる。スピーカー保持部５１へのカバー５２の取り付けは、例えば、ねじ等の固定具で行われる。スピーカー６は、ホルダー本体部５０とスピーカー保持部５１とカバー５２とで囲まれて移動不可に保持される。
【００３６】
ホルダー５は、その上端部に位置する弾性部５６をさらに有する。弾性部５６は、ホルダー５の上方に位置する他の部材に対して、弾性的に接触する部分である。本実施形態では、弾性部５６は、上片部５３の一部に設けられる弾性を有するアーチ部５７で構成されている。
【００３７】
上片部５３は、ホルダー本体部５０の上端部の左右方向の中央から右端に亘って位置する板状の片である。上片部５３は、右半部が平板状であり、左半部が、上方に凸の円弧状（つまりアーチ形状）の断面を有する湾曲した板状である。上片部５３の左半部が、弾性を有するアーチ部５７を構成している。
【００３８】
図４に示すように、スピーカー６を保持したホルダー５は、取付板４の箱部４４の左右一対の支持片４４６に対して左右一対の差込部５４を上方から差し込むことで、箱部４４に取り付けられる。左右一対の支持片４４６は、ホルダー本体部５０の前面が本体部４４０の後面に当たる状態で、左右一対の差込部５４を保持する。ホルダー５の上片部５３は、箱部４４の上板部４４１の上に載置される。これにより、ホルダー５は、左右方向と下方への移動が規制された状態で、取付板４に取り付けられる。ここで、ホルダー５は、上方への移動が可能な状態で、取付板４に取り付けられている。
【００３９】
本実施形態では、弾性部５６（アーチ部５７）は、ホルダー５を取付板４に取り付けた状態で、弾性部５６（アーチ部５７）の上端部が、第一載置片３８０の上面よりも上方に位置するように、ホルダー５に設けられている。
【００４０】
続いて、本実施形態のスピーカー固定構造の施工手順の一例について説明する。ホルダー５としては、スピーカー６を保持したものを用いる。
【００４１】
まず、筐体３の側壁３４の内側に、取付板４を固定する。側壁３４への取付板４の固定は、側壁３４の第二載置片３８１とその下方の取付板４の固定片１５を、上方から打ち込んだねじ等の固定具１６で固定することによって行われる。
【００４２】
次いで、取付板４の保持部４０（左右一対の支持片４４６）に、上からホルダー５の左右一対の差込部５４を差し込んで、ホルダー５の上片部５３を箱部４４の上板部４４１の上に載せ、取付板４にホルダー５を取り付ける。このとき、ホルダー５は、左右方向及び下方への移動が規制された状態で、取付板４によって保持される。
【００４３】
次いで、第一載置片３８０上に上部材７（バーナー台７０）を載置し、ねじ等の固定具で、上部材７を第一載置片３８０に固定する。取付板４に保持されたホルダー５の弾性部５６（アーチ部５７）は、第一載置片３８０に固定された上部材７によって上方から押さえられ、これにより、ホルダー５の上方への移動が規制される。
【００４４】
上述のように施工されることで、本実施形態のスピーカー固定構造が形成される。
【００４５】
以上説明した本実施形態のスピーカー固定構造では、スピーカー６を保持したホルダー５を、取付板４の保持部４０に上方から差し込み、第一載置片３８０に上部材７（バーナー台７０）を載せて固定するだけで、ホルダー５を移動不可な状態で、側壁３４の内側に設置することができる。
【００４６】
したがって、本実施形態のスピーカー固定構造では、ホルダー５を取付板４や側壁３４に対してねじ固定する必要がないため、この分だけ施工手間を省くことができて、側壁３４の内側へのスピーカー６の取り付けを容易に行うことができる。
【００４７】
また、本実施形態のスピーカー固定構造では、ホルダー５が、その上端部に弾性部５６（アーチ部５７）を有するため、上部材７によってホルダー５が押さえられたときに、弾性部５６（アーチ部５７）が変形可能である。そのため、本実施形態のスピーカー固定構造では、上部材７によってホルダー５が押さえられたときに、取付板４の保持部４０等のスピーカー固定構造の一部に過度な負荷がかかって破損が生じることを抑制することができる。
【００４８】
（変更例）
続いて、上述した実施形態１のスピーカー固定構造の変更例について説明する。
【００４９】
取付板４が有する保持部４０は、ホルダー５を上下方向に抜き差し自在に保持する構造であればよく、一対の支持片４４６とは別の構造であってもよい。例えば、保持部４０は、箱部４４に上方及び前後方向に開口するように形成された差込溝で構成されてもよく、この場合、ホルダー５には差込溝に差し込まれる差込片が設けられる。
【００５０】
ホルダー５が有する弾性部５６は、アーチ部５７で構成されなくてもよく、その他の弾性的な接触が可能な構造であってもよい。また、ホルダー５の上端部には、ホルダー５とは別部材の弾性部材が取り付けられてもよい。また、ホルダー５は、その上端部に弾性部５６を有さなくてもよい。
【００５１】
上部材７は、バーナー台７０に限らず、その他の筐体３内に設置される部材であってもよい。なお、上部材７は、ホルダー５を押さえるための専用の部材ではないことが好ましい。
【００５２】
（実施形態２）
続いて、図７及び図８に示す本発明に係る実施形態２のスピーカー固定構造について説明する。以下では、実施形態１のスピーカー固定構造と同様の構成については、図中に同一の符号を付して詳しい説明を省略し、異なる構成について詳しく説明する。
【００５３】
実施形態２のスピーカー固定構造は、筐体３と、筐体３の前側の側壁３４の内側（後側）に固定される取付板４と、取付板４に取り付けられるホルダー５と、ホルダー５に保持されたスピーカー６と、側壁３４から筐体３の内側に突出した押さえ部８を備える。取付板４は、ホルダー５を上下方向に抜き差し自在に保持する保持部４０（一対の支持片４４６）を有する。
【００５４】
本実施形態のスピーカー固定構造は、取付板４が側壁３４の内側に固定された状態において、保持部４０に保持されたホルダー５が、押さえ部８によって上から押されるように構成している。
【００５５】
詳しくは、本実施形態では、取付板４の保持部４０でホルダー５を保持した状態で、取付板４を側壁３４に沿って所定の固定位置へと移動させたときに、この固定位置において、ホルダー５が押さえ部８によって上から押されるように構成している。
【００５６】
本実施形態では、筐体３の底壁３２は、底壁３２を上下方向に貫通する複数の挿入孔３９を有する。取付板４は、本体部４３の下端から突出し、各挿入孔３９に挿入される複数の挿入部４６を有する。
【００５７】
各挿入部４６の下面には、取付板４を側壁３４に沿って左方に移動させたときに、取付板４を上方に移動させるように傾斜したガイド面４６０と、取付板４が所定の固定位置に位置したときに底壁３２上に載置される載置面４６１が設けられている。ガイド面４６０と載置面４６１とは連続している。
【００５８】
取付板４は、所定の固定位置に位置したときに、側壁３４の貫通孔３７の上縁に引っ掛かる側面視略Ｌ字状の引掛け部４７をさらに有する。本実施形態では、押さえ部８は、第一載置片３８０で構成される。
【００５９】
続いて、本実施形態のスピーカー固定構造の施工手順の一例について説明する。ホルダー５としては、スピーカー６を保持したものを用いる。
【００６０】
まず、取付板４の保持部４０（左右一対の支持片４４６）に、上からホルダー５の左右一対の差込部５４を差し込んで、ホルダー５の上片部５３を箱部４４の上板部４４１の上に載せ、取付板４にホルダー５を取り付ける。このとき、ホルダー５は、左右方向及び下方への移動が規制された状態で、取付板４によって保持される。
【００６１】
次いで、図８に示すように、取付板４の各挿入部４６を、底壁３２の各挿入孔３９に挿入し、取付板４を側壁３４に沿わせる。このとき、ホルダー５と第一載置片３８０とは、互いに距離をおいて位置する。
【００６２】
次いで、取付板４を側壁３４に沿って左方に移動させる。このとき、各挿入部４６のガイド面４６０が各挿入孔３９の左縁に摺接しながら取付板４を上方に移動させ、取付板４を所定の固定位置にガイドする。
【００６３】
取付板４が所定の固定位置にあるときに、各挿入部４６の載置面４６１は、底壁３２の上面に載り、取付板４の固定片１５は、第二載置片３８１の下面に当たる。これにより、取付板４は、第二載置片３８１と底壁３２とで挟まれて側壁３４に対して仮固定される。さらにこのとき、取付板４の各引掛け部４７が、側壁３４の各貫通孔３７の上縁に引っ掛かることによっても、取付板４は側壁３４に対して仮固定される。
【００６４】
次いで、図７に示すように、第二載置片３８１と固定片１５を上方から打ち込んだねじ等の固定具１６によって固定する。これにより、取付板４は側壁３４に対して固定（本固定）される。
【００６５】
取付板４が側壁３４に対して固定された状態において、ホルダー５の上端部の弾性部５６（アーチ部５７）は、第一載置片３８０（押さえ部８）によって上から押さえられ、これにより、ホルダー５の上方への移動が規制される。
【００６６】
なお、本実施形態では、取付板４を所定の固定位置へ移動させた状態において、ホルダー５の上端部の弾性部５６（アーチ部５７）は、第一載置片３８０（押さえ部８）によって上から押さえられる。
【００６７】
取付板４が側壁３４に対して固定された後、第一載置片３８０上には上部材７（バーナー台７０）が載置され、ねじ等の固定具で、上部材７が第一載置片３８０に固定される。
【００６８】
上述のように施工されることで、本実施形態のスピーカー固定構造が形成される。
【００６９】
以上説明した本実施形態のスピーカー固定構造では、スピーカー６を保持したホルダー５が取り付けられた取付板４を、側壁３４に沿って移動させ、側壁３４に対して固定するだけで、ホルダー５を移動不可な状態で、側壁３４の内側に設置することができる。
【００７０】
したがって、本実施形態のスピーカー固定構造では、ホルダー５を取付板４や側壁３４に対してねじ固定する必要がないため、この分だけ施工手間を省くことができて、側壁３４の内側へのスピーカー６の取り付けを容易に行うことができる。
【００７１】
また、本実施形態のスピーカー固定構造では、ホルダー５が、その上端部に弾性部５６（アーチ部５７）を有するため、押さえ部８によってホルダー５が押さえられたときに、弾性部５６（アーチ部５７）が変形可能である。そのため、本実施形態のスピーカー固定構造では、押さえ部８によってホルダー５が押さえられたときに、取付板４の保持部４０等のスピーカー固定構造の一部に過度な負荷がかかって破損が生じることを抑制することができる。
【００７２】
（変更例）
続いて、上述した実施形態２のスピーカー固定構造の変更例について説明する。
【００７３】
実施形態２のスピーカー固定構造は、上述した実施形態１のスピーカー固定構造の変更例と同様の変更例を採用してもよい。
【００７４】
また、実施形態２のスピーカー固定構造は、取付板４を側壁３４に沿って所定の固定位置へと移動させ、所定の固定位置において取付板４を側壁３４に固定したときに、ホルダー５が押さえ部８によって上から押さえられるように構成されていればよく、上述した構造に限定されない。つまり、スピーカー固定構造は、取付板４の移動方向をガイドする構造（挿入孔３９及び挿入部４６）を有さなくてもよい。また、取付板４の側壁３４に沿った移動方向は、適宜選択可能である。
【００７５】
（効果）
以上説明した実施形態１の加熱調理器のスピーカー固定構造は、下記の第一の構成を具備することを特徴とする。
【００７６】
すなわち、実施形態１の加熱調理器のスピーカー固定構造は、底壁３２と底壁３２から上方に突出した側壁３４とを有する加熱調理器１の筐体３と、側壁３４の内側に固定される取付板４と、取付板４に取り付けられるホルダー５と、ホルダー５に保持されたスピーカー６と、筐体３の内側に上から取り付けられる上部材７と、を備える。
【００７７】
取付板４は、ホルダー５を上下方向に抜き差し自在に保持する保持部４０を有する。実施形態１の加熱調理器のスピーカー固定構造は、保持部４０に保持されたホルダー５が、筐体３の内側に取り付けられた上部材７によって上から押さえられるように構成している。
【００７８】
実施形態１の加熱調理器のスピーカー固定構造は、スピーカー６を保持したホルダー５を、取付板４の保持部４０に上方から差し込み、その後、筐体３の内側に上部材７を取り付けることで、上部材７によってホルダー５を上から押さえることができる。
【００７９】
したがって、実施形態１の加熱調理器のスピーカー固定構造では、ホルダー５を取付板４や側壁３４に対してねじ固定する必要がないため、この分だけ施工手間を省くことができて、側壁３４の内側へのスピーカー６の取り付けを容易に行うことができる。
【００８０】
また、実施形態１の加熱調理器のスピーカー固定構造は、上記の第一の構成に加えて、下記の第二の構成を付加的に具備する。
【００８１】
すなわち、実施形態１の加熱調理器のスピーカー固定構造では、上部材７は、バーナー台７０である。
【００８２】
実施形態１の加熱調理器のスピーカー固定構造では、上部材７が、加熱調理器１が一般的に備えるバーナー台７０であるため、ホルダー５を押さえるための専用の部材が別途必要とならず、部品数及び施工手間が増えることを防止できる。
【００８３】
また、以上説明した実施形態２の加熱調理器のスピーカー固定構造は、下記の第三の構成を具備することを特徴とする。
【００８４】
すなわち、実施形態２の加熱調理器のスピーカー固定構造は、底壁３２と底壁３２から上方に突出した側壁３４とを有する加熱調理器１の筐体３と、側壁３４の内側に固定される取付板４と、取付板４に取り付けられるホルダー５と、ホルダー５に保持されたスピーカー６と、側壁３４から筐体３の内側に突出した押さえ部８と、を備える。
【００８５】
取付板４は、ホルダー５を上下方向に抜き差し自在に保持する保持部４０を有する。実施形態２の加熱調理器のスピーカー固定構造は、取付板４が側壁３４の内側に固定された状態において、保持部４０に保持されたホルダー５が、押さえ部８によって上から押さえられるように構成している。
【００８６】
実施形態２のスピーカー固定構造では、スピーカー６を保持したホルダー５が取り付けられた取付板４を、側壁３４に沿って移動させ、側壁３４に対して固定するだけで、ホルダー５が、押さえ部８によって上から押さえられるようにでき、ホルダー５を移動不可な状態で、側壁３４の内側に設置することができる。
【００８７】
したがって、実施形態２の加熱調理器のスピーカー固定構造では、ホルダー５を取付板４や側壁３４に対してねじ固定する必要がないため、この分だけ施工手間を省くことができて、側壁３４の内側へのスピーカー６の取り付けを容易に行うことができる。
【００８８】
また、実施形態１及び２の加熱調理器のスピーカー固定構造は、上記の第一の構成、第一及び第二の構成、あるいは、第三の構成に加えて、下記の第四の構成を付加的に具備する。
【００８９】
すなわち、実施形態１及び２の加熱調理器のスピーカー固定構造では、ホルダー５は、その上端部に位置する弾性部５６をさらに有する。
【００９０】
実施形態１及び２の加熱調理器のスピーカー固定構造では、ホルダー５が、上部材７または押さえ部８で上から押さえられたとき、弾性部５６が弾性的に接触するため、保持部４０等のスピーカー固定構造の構成の一部に過度な力が加わって破損が生じることを抑制することができる。また、実施形態１及び２の加熱調理器のスピーカー固定構造では、弾性部５６によって、製造誤差、設置誤差等を吸収できる。
【００９１】
また、実施形態１及び２の加熱調理器のスピーカー固定構造は、上記の第四の構成に加えて、下記の第五の構成を付加的に具備する。
【００９２】
すなわち、実施形態１及び２の加熱調理器のスピーカー固定構造では、弾性部５６は、弾性を有するアーチ部５７で構成される。
【００９３】
実施形態１及び２の加熱調理器のスピーカー固定構造では、弾性部５６が、弾性を有するアーチ部５７で構成されるため、弾性部５６を簡単に形成することができる。
【００９４】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００９５】
３      筐体
３２    底壁
３４    側壁（前側の側壁）
４      取付板
４０    保持部
５      ホルダー
５６    弾性部
５７    アーチ部
６      スピーカー
７      上部材
７０    バーナー台
８      押さえ部
【図１】
2018107611.tif 000003
【図２】
2018107611.tif 000004
【図３】
2018107611.tif 000005
【図４】
2018107611.tif 000006
【図５】
2018107611.tif 000007
【図６】
2018107611.tif 000008
【図７】
2018107611.tif 000009
【図８】
2018107611.tif 000010